(57)【要約】【課題】ＷＥＢサイトの閲覧制限に関し、閲覧者に閲覧を再考する判断の機会を与えて閲覧制限を解除させることにより、ＷＥＢコンテンツの利用性を高めることにある。【解決手段】ＷＥＢサイトの閲覧を制限する、ＷＥＢサイト閲覧のフィルタリング装置であって、閲覧制限が付されたＷＥＢサイトに対し、ユーザが閲覧要求をすると、処理部が管理者への閲覧の記録及び／又は通知が条件であることをユーザに告知し、その告知に対するユーザの応答に応じて閲覧制限を解除する。斯かる構成では、ユーザが閲覧要求したＷＥＢサイトに閲覧制限が付されていても、閲覧制限が付されているという理由で閲覧を禁止するのではなく、記録及び／又は通知が条件であることを告知するので、その告知が、管理者の意思を再認識させ、当該サイトを閲覧することの再考判断の機会となる。【選択図】図１
2008234332.tif 000002
【特許請求の範囲】
【請求項１】
ＷＥＢサイトの閲覧を制限する、ＷＥＢサイト閲覧のフィルタリング装置であって、
閲覧制限が付されたＷＥＢサイトに対するユーザの閲覧要求に対し、管理者への閲覧の記録及び／又は通知を条件に前記閲覧要求に応ずる処理部を備えたことを特徴とするＷＥＢサイト閲覧のフィルタリング装置。
【請求項２】
請求項１のＷＥＢサイト閲覧のフィルタリング装置において、
前記処理部は、前記閲覧の記録及び／又は通知の条件に応諾した場合に、前記閲覧要求に応じることを特徴とするＷＥＢサイト閲覧のフィルタリング装置。
【請求項３】
請求項１のＷＥＢサイト閲覧のフィルタリング装置において、
前記処理部は、前記閲覧要求に対し、管理者への閲覧の記録及び／又は通知を条件にする旨の告知メッセージを生成することを特徴とするＷＥＢサイト閲覧のフィルタリング装置。
【請求項４】
請求項１のＷＥＢサイト閲覧のフィルタリング装置において、
前記処理部は、前記閲覧要求に対し、管理者への閲覧の記録及び／又は通知を条件にすることを告知するとともに、その告知に対する応答を受け付けた際に、前記閲覧要求に対する閲覧許可に移行させることを特徴とするＷＥＢサイト閲覧のフィルタリング装置。
【請求項５】
請求項１又は請求項３のＷＥＢサイト閲覧のフィルタリング装置において、
前記処理部は、前記閲覧要求に対し、前記閲覧の記録及び／又は通知を条件にすることを告知し、その告知に対する応答を受け付けるダイアログ画面を出力することを特徴とするＷＥＢサイト閲覧のフィルタリング装置。
【請求項６】
ＷＥＢサイトの閲覧を制限する、ＷＥＢサイト閲覧のフィルタリング方法であって、
閲覧制限が付されたＷＥＢサイトに対するユーザの閲覧要求に対し、管理者への閲覧の記録及び／又は通知を条件に前記閲覧要求に応ずるステップを含むことを特徴とするＷＥＢサイト閲覧のフィルタリング方法。
【請求項７】
コンピュータによって実行され、ＷＥＢサイトの閲覧を制限する、ＷＥＢサイト閲覧のフィルタリングプログラムであって、
閲覧制限が付されたＷＥＢサイトに対するユーザの閲覧要求に対し、管理者への閲覧の記録及び／又は通知を条件に前記閲覧要求に応ずるステップを含むことを特徴とするＷＥＢサイト閲覧のフィルタリングプログラム。
【請求項８】
ＷＥＢサイトの閲覧を制限する、ＷＥＢサイト閲覧のフィルタリングプログラムをコンピュータで読取り可能に格納した記録媒体であって、
閲覧制限が付されたＷＥＢサイトに対するユーザの閲覧要求に対し、管理者への閲覧の記録及び／又は通知を条件に前記閲覧要求に応ずるステップを含むフィルタリングプログラムをコンピュータに読取り可能に格納したことを特徴とする記録媒体。
【請求項９】
ＷＥＢサイトの閲覧を制限する、ＷＥＢサイト閲覧のフィルタリングシステムであって、
閲覧制限が付されたＷＥＢサイトに対するユーザの閲覧要求に対し、管理者への閲覧の記録及び／又は通知を条件に前記閲覧要求に応ずるサーバ装置と、
前記サーバ装置からの前記閲覧の記録及び／又は通知を受け取り、前記ＷＥＢサイトに対する閲覧制限又は閲覧許可を前記サーバ装置に指示するクライアント装置と、
を備えることを特徴とするＷＥＢサイト閲覧のフィルタリングシステム。
【発明の詳細な説明】
【技術分野】
【０００１】
本発明は、インターネットのＷＥＢ（World Wide Web：分散データベースシステム）サイト等に接続されて各種コンテンツが閲覧可能なＰＣ（パーソナルコンピュータ）、携帯電話機等の携帯端末装置、サーバ、ルータ等のネットワーク機能を利用可能な機器のＷＥＢサイトの閲覧制限に関し、特に、ＷＥＢサイト閲覧の管理機能性を高めたＷＥＢサイト閲覧のフィルタリング装置、そのフィルタリング方法、そのフィルタリングプログラム、そのフィルタリングプログラムが格納された記録媒体、及びＷＥＢサイト閲覧のフィルタリングシステムに関する。
【背景技術】
【０００２】
インターネット上のＷＥＢサイトに公開されたコンテンツは、通信機能を持つとともにブラウザソフトを搭載したＰＣ（パーソナルコンピュータ）等の情報処理端末により自由に閲覧することができる。ＷＥＢサイト上の公開されたコンテンツには有害なものもあり、有害と判断されたコンテンツを含むＷＥＢサイト（ＵＲＬ：Uniform resource locator：ＷＥＢ上のアドレス）や公開された有害コンテンツには閲覧制限が必要である。
【０００３】
このようなＷＥＢサイトの閲覧制限に関し、特許文献１には、業務上閲覧が禁止されている閲覧禁止サイトへアクセスしようとする情報閲覧者に対し、その閲覧理由を求め、その閲覧理由に応じて閲覧禁止サイトへの閲覧を許可することが開示されている。
【０００４】
特許文献２には、認証部がユーザの認証を行い、そのユーザが属するグループを特定し、ユーザ端末が認証部から認証了承の通知を受けると、ゲートウェイ部にコンテツ取得要求パケットを送出し、ゲートウェイ部がそのパケットにユーザが属するグループのユーザＩＤを付与し、フィルタリング部がパケットに付与されたユーザＩＤを識別し、フィルタリング条件を適用してコンテンツ取得許可を判断し、コンテンツ配信サーバにパケットを転送し、コンテンツサーバが所定のコンテンツを搭載したコンテンツパケットをユーザ端末に送信することが開示されている。
【０００５】
特許文献３には、ユーザ認証要求を発した認証サーバがクライアント装置からの応答記録のａｕｔｈログ中に含まれるスタートイベントログ及びストップイベントログからクライアント装置のユーザ名及びＩＰアドレスを取得し、データベースサーバは認証サーバから取得したユーザ名と、ユーザ名毎に定められた接続承認可否の方針に従って作られたテーブル中のユーザ名とを照合し、クライアント装置から接続要求のあったＵＲＬへの接続の可否を処理することが開示されている。
【０００６】
また、特許文献４には、加入者が所定サイトへの接続を試みる場合、遠隔制御装置が中央制御センターによって指定された有害サイトリストと目的地ＵＲＬとを比較し、加入者が有害サイトへ接続を試みていると判断した場合には、接続不可メッセージを加入者に転送し、そうでない場合には、インターネットサービス提供者に接続情報を提供し、接続ができるようにすることが開示されている。
【特許文献１】特開２００４−３６２０３１（要約、図１）
【特許文献２】特開２００３−２８３５４９（要約、図１）
【特許文献３】特開２００４−１２０５７４（要約、図１）
【特許文献４】特表２００３−５３２１８４（要約、図１）
【発明の開示】
【発明が解決しようとする課題】
【０００７】
ところで、従来から有害コンテンツであるか否かの判断にはフィルタリングソフトが用いられているが、このフィルタリングソフトの判断基準によっては、有害でないコンテンツを有害と判定し、ＷＥＢサイトの閲覧を不可とすると、ユーザ（例えば、家庭では未成年者）は、管理者（家庭では保護者）に対し、そのＷＥＢサイトや公開されたコンテンツの閲覧を要求することになる。その要求を受けた管理者は、そのＷＥＢサイトやコンテンツがユーザにとって有害か否かを判断し、有害でないと判断した場合には、フィルタリングソフトの管理者機能により、そのＷＥＢサイト（ＵＲＬ) に対して例外登録とする処理を実行しなければ、ユーザがそのサイトを閲覧することができない。
【０００８】
このようなフィルタリングソフトの管理者機能は有害サイトに対しては有効であるが、フィルタリングソフトが閲覧不可としたＷＥＢサイトでも、場合によっては、ユーザに閲覧を許可すべき場合がある。斯かる場合にも管理者による例外登録作業を完了することが不可欠であって、管理者がその例外登録作業ができない場合には、フィルタリングソフトが搭載された機器でのサイト閲覧は不可能となり、必要な情報を入手することができない。課題研究や参考資料のためのＷＥＢサイトへの接続が必要な場合でも管理者の例外登録作業が不可欠であり、その目的を達し得ないという不都合があった。
【０００９】
特許文献１では、ユーザから閲覧理由を受け取り、その理由によって閲覧可否を判断しているが、この場合も閲覧理由を予め登録する処理が必要であり、その閲覧理由が登録されていなければ、閲覧理由が正当であったとしても、目的とするＷＥＢサイトに接続することができない。
【００１０】
斯かる要求や課題について、特許文献１ないし４にはその開示や示唆はなく、それを解決する構成等についての開示や示唆はない。
【００１１】
そこで、本発明の目的は、ＷＥＢサイトの閲覧制限に関し、閲覧者に閲覧を再考する判断の機会を与えて閲覧制限を解除させることにより、ＷＥＢコンテンツの利用性を高めることにある。
【００１２】
また、本発明の他の目的は、ＷＥＢサイトの閲覧制限に関し、一定の条件を課して閲覧制限を解除し、ＷＥＢコンテンツの利用性を高めることにある。
【課題を解決するための手段】
【００１３】
上記目的を達成するため、本発明は、ＷＥＢサイトの閲覧を制限する、ＷＥＢサイト閲覧のフィルタリング装置であって、閲覧制限が付されたＷＥＢサイトに対し、ユーザが閲覧要求をすると、処理部が管理者への閲覧の記録及び／又は通知が条件であることをユーザに告知し、その告知に対するユーザの応答に応じて閲覧制限を解除する。斯かる構成では、ユーザが閲覧要求したＷＥＢサイトに閲覧制限が付されていても、閲覧制限が付されているという理由で閲覧を禁止するのではなく、記録及び／又は通知が条件であることを告知するので、その告知が、管理者の意思を再認識させ、当該サイトを閲覧することの再考判断の機会となる。従って、閲覧制限とともに、その閲覧制限を一定の条件ないしユーザの再考判断の契機を与えて解除可能とすることにより、ＷＥＢコンテンツの利用性を高めることができる。
【００１４】
そこで、上記目的を達成するため、本発明の第１の側面は、ＷＥＢサイトの閲覧を制限する、ＷＥＢサイト閲覧のフィルタリング装置であって、閲覧制限が付されたＷＥＢサイトに対するユーザの閲覧要求に対し、管理者への閲覧の記録及び／又は通知を条件に前記閲覧要求に応ずる処理部を備えた構成である。斯かる構成により、上記目的が達成される。
【００１５】
上記ＷＥＢサイト閲覧のフィルタリング装置において、好ましくは、前記処理部は、前記閲覧の記録及び／又は通知の条件に応諾した場合に、前記閲覧要求に応じる構成としてもよく、また、前記閲覧要求に対し、管理者への閲覧の記録及び／又は通知を条件にする旨の告知メッセージを生成する構成としてもよく、前記閲覧要求に対し、管理者への閲覧の記録及び／又は通知を条件にすることを告知するとともに、その告知に対する応答を受け付けた際に、前記閲覧要求に対する閲覧許可に移行させる構成としてもよく、前記閲覧要求に対し、前記閲覧の記録及び／又は通知を条件にすることを告知し、その告知に対する応答を受け付けるダイアログ画面を出力する構成としてもよい。斯かる構成によっても、上記目的が達成される。
【００１６】
上記目的を達成するため、本発明の第２の側面は、ＷＥＢサイトの閲覧を制限する、ＷＥＢサイト閲覧のフィルタリング方法であって、閲覧制限が付されたＷＥＢサイトに対するユーザの閲覧要求に対し、管理者への閲覧の記録及び／又は通知を条件に前記閲覧要求に応ずるステップを含む構成である。斯かる構成により、上記目的が達成される。
【００１７】
上記目的を達成するため、本発明の第３の側面は、コンピュータによって実行され、ＷＥＢサイトの閲覧を制限する、ＷＥＢサイト閲覧のフィルタリングプログラムであって、閲覧制限が付されたＷＥＢサイトに対するユーザの閲覧要求に対し、管理者への閲覧の記録及び／又は通知を条件に前記閲覧要求に応ずるステップを含む構成である。斯かる構成により、上記目的が達成される。
【００１８】
上記目的を達成するため、本発明の第４の側面は、ＷＥＢサイトの閲覧を制限する、ＷＥＢサイト閲覧のフィルタリングプログラムをコンピュータで読取り可能に格納した記録媒体であって、閲覧制限が付されたＷＥＢサイトに対するユーザの閲覧要求に対し、管理者への閲覧の記録及び／又は通知を条件に前記閲覧要求に応ずるステップを含むフィルタリングプログラムをコンピュータに読取り可能に格納した構成である。斯かる構成により、上記目的が達成される。
【００１９】
上記目的を達成するため、本発明の第４の側面は、ＷＥＢサイトの閲覧を制限する、ＷＥＢサイト閲覧のフィルタリングシステムであって、閲覧制限が付されたＷＥＢサイトに対するユーザの閲覧要求に対し、管理者への閲覧の記録及び／又は通知を条件に前記閲覧要求に応ずるサーバ装置と、前記サーバ装置からの前記閲覧の記録及び／又は通知を受け取り、前記ＷＥＢサイトに対する閲覧制限又は閲覧許可を前記サーバ装置に指示するクライアント装置とを備える構成である。斯かる構成により、上記目的が達成される。
【発明の効果】
【００２０】
本発明によれば、次のような効果が得られる。
【００２１】
(1) 閲覧が制限されたＷＥＢサイトを閲覧した場合、その閲覧をしたことの記録又はその通知、又は、これら双方によれば、管理者は、ユーザがどのようなＷＥＢサイトを閲覧したかを管理でき、その通知によって知ることができる。
【００２２】
(2) 閲覧が制限されたＷＥＢサイトに対する閲覧要求に対し、その閲覧の記録及び／又は通知が条件であることを告知するので、ユーザに対し、その告知が、管理者の意思を再認識させ、当該サイトを閲覧することの再考判断の機会となり、有害サイトの閲覧を防止できるとともに、ＷＥＢコンテンツの利用性を高めることができる。
【００２３】
そして、本発明の他の目的、特徴及び利点は、添付図面及び各実施の形態を参照することにより、一層明確になるであろう。
【発明を実施するための最良の形態】
【００２４】
〔第１の実施の形態〕
【００２５】
本発明の第１の実施の形態について、図１を参照する。図１は、第１の実施の形態に係るパーソナルコンピュータを示す図である。
【００２６】
このパーソナルコンピュータ（ＰＣ）２は、本発明のＷＥＢサイト閲覧のフィルタリング装置、そのフィルタリング方法、そのフィルタリングプログラム、そのフィルタリングプログラムが格納された記録媒体、又はＷＥＢサイト閲覧のフィルタリングシステムの一例であって、フィルタリングプログラムが持つフィルタリング効果を維持しながら、管理者を介在させることなく、ユーザに管理者の意思を再認識させてサイト閲覧の再考判断の機会を与え、ユーザの独自判断によりサイト閲覧を可能にしたユーザ情報端末であるコンピュータシステムを構成している。このＰＣ２では、閲覧理由を受ける受信手段や、その閲覧理由を個別に判断して閲覧可否の判定をする判定部といった構成や処理が不要であって、処理構造の複雑化を回避するとともに、特定のＷＥＢサイトに入ろうとするユーザに対し、管理者の意向や当該サイトの閲覧の必要性等について再考の機会を提供し、ユーザの独自判断によって有害サイトの閲覧抑止効果を向上させたものである。
【００２７】
ＰＣ２は、インターネット４を介して１又は複数のサーバ装置としてＷＥＢサーバ６に接続され、ＷＥＢサーバ６に開設されたＷＥＢサイトの閲覧が可能なクライアント装置である。インターネット４は、情報源である複数のコンピュータを備えたコンピュータネットワークの一例である。
【００２８】
そこで、ＰＣ２は、閲覧制限を設定したＷＥＢサイトを選択した場合のダイアログ画面及び閲覧の警告の生成、閲覧の記録、管理者への通知、管理者による閲覧記録の確認等のフィルタリング機能を実行するため、図１に示すように、ＷＥＢブラウザ８、処理部１０、ローカルデータベース（ＤＢ）１２、ネットワーク通信部１４が備えられている。
【００２９】
ＷＥＢブラウザ８は、ＷＥＢサイトのコンテンツ（データやファイルの内容）を閲覧する閲覧ソフトウェアである。処理部１０は、フィルタリングプログラムの実行により生成される機能部であり、また、ローカルＤＢ１２は、記憶部２４（図２）にあるデータによって構築されるファイル、ファイル群ないしデータベースシステムである。また、ネットワーク通信部１４は、インターネット４のＷＥＢサイトとの通信、データの授受を行う通信手段である。この実施の形態では、ユーザの閲覧要求に基づき、ＷＥＢサイトのコンテンツの授受を担当する。ネットワーク通信部１４は、無線ＬＡＮ（Local Area Network）のアクセスポイントとの無線通信、移動無線システムの基地局等との通信を行う構成であってもよい。
【００３０】
そして、処理部１０はＷＥＢサーバであって、表示画面生成部１６、フィルタリング判定処理部１８、入力判定処理部２０、データベース（ＤＢ）検索・編集部２２を備えている。表示画面生成部１６は、ユーザの閲覧要求に対し、閲覧要求の再考の機会であるとともに閲覧に移行させるための入力を受け付けるダイアログ画面を生成させる。このダイアログ画面には、ユーザに対する警告メッセージが表示される。
【００３１】
フィルタリング判定処理部１８は、閲覧要求の対象であるＷＥＢサイトのＵＲＬから閲覧制限が付されているか否かの判定処理の実行手段であって、その判定結果が表示画面生成部１６に対するダイアログ画面の生成の契機となる。ＷＥＢサイトのＵＲＬは、ローカルＤＢ１２に格納され、そのＵＲＬには管理者により必要に応じて閲覧制限が付され、その閲覧制限はＵＲＬ毎に設定されている。
【００３２】
入力判定処理部２０は、ユーザからの閲覧要求等の各種入力の受付けや、管理者による閲覧制限等の入力の受付け等、各種入力を判定する処理手段である。また、ＤＢ検索・編集部２２は、入力判定処理部２０が受け付けた入力に基づき、ローカルＤＢ１２にあるデータの検索や検索データの編集を行い、編集結果はデータとしてローカルＤＢ１２に格納される。
【００３３】
次に、ＰＣ２のハードウェアについて、図２及び図３を参照する。図２は、ＰＣのハードウェアの一例を示す図、図３は、ＰＣの外観構成例を示す図である。図２において、図１と同一部分には同一符号を付してある。
【００３４】
このＰＣ２には、既述のフィルタリング機能を実現するため、記憶部２４、操作入力部２６、表示部２８、ネットワーク通信部１４、プロセッサ３０が備えられ、これら各機能部はバス３１で接続されている。記憶部２４は記録媒体で構成され、プログラム格納部３２、データ格納部３４及びＲＡＭ（Random-Access Memory）３６が備えられている。プログラム格納部３２は、ハードディスク装置で構成され、ＯＳ（Operating System）、閲覧制限ソフトウェア、本発明の一例であるフィルタリングソフトウェア等が格納されている。データ格納部３４には既述のローカルＤＢ１２を構成して各種の情報が格納され、この情報には、ＷＥＢサイトの閲覧履歴情報、通信履歴情報、管理者に対する通知情報等の各種の情報が含まれる。そして、ＲＡＭ３６はワークエリアを構成し、フィルタリングプログラムの実行により、プロセッサ３０とともにフィルタリング装置の処理部１０をＰＣ２内に構築する。プロセッサ３０は、ＯＳやアプリケーションプログラムを実行する手段であって、ＣＰＵ（Central Processing Unit ：中央演算処理装置）又はＭＰＵ（Micro Processor Unit）で構成され、ＲＡＭとともに、既述の処理部１０等を構成する。
【００３５】
操作入力部２６はキーボードやマウス等の入力装置で構成され、表示部２８はＬＣＤ（Liquid Crystal Display）等の画面表示部を備えた出力装置であって、ＷＥＢサイトから取り込まれた画像データの表示や、ダイアログ画面、警告表示等に用いられる。
【００３６】
このＰＣ２は例えば、図３に示すように、第１及び第２の筐体部３８、４０を備え、ヒンジ部４２によって筐体部３８、４０を開閉可能に構成し、筐体部３８には操作入力部２６、筐体部４０には表示部２８が設置されている。
【００３７】
次に、ローカルＤＢ１２について、図４を参照する。図４は、ローカルＤＢに設定されるテーブルの一例を示す図である。図４において、図１と同一部分には同一符号を付してある。
【００３８】
ローカルＤＢ１２は、ホワイトＵＲＬテーブル４４、ブラックＵＲＬテーブル４６、閲覧履歴テーブル４８、閲覧禁止キーワードテーブル５０等が設定されている。ホワイトＵＲＬテーブル４４には、閲覧が可能なＷＥＢサイトのＵＲＬが格納され、ブラックＵＲＬテーブル４６には、閲覧不可とするＷＥＢサイトのＵＲＬが格納され、このブラックＵＲＬテーブル４６への登録が閲覧制限となる。閲覧履歴テーブル４８には、ユーザが閲覧したＷＥＢサイトの閲覧記録が格納され、また、閲覧禁止キーワードテーブル５０には、閲覧禁止を判断する要素となるキーワードが格納される。
【００３９】
次に、閲覧履歴テーブル４８について、図５を参照する。図５は、閲覧履歴テーブルの一例を示す図である。図５において、図１と同一部分には同一符号を付してある。
【００４０】
閲覧履歴テーブル４８には、図５に示すように、タイトル欄５２及び情報欄５４が設定され、タイトル欄５２には、ユーザ名５６、日付５８、時間６０、タイトル６２、サムネイル６４、ＵＲＬ６６が格納される。ここで、タイトル６２は、ＷＥＢサイトのコンテンツを表すタイトル情報であり、サムネイル６４は、トップページのスクリーンショット等、コンテンツを表すサンプル画像であって、ＷＥＢサイトから提供される。サムネイル６４は、ユーザの閲覧を誘導するためのものであり、通常、そのサイトの意図が現れている。そこで、サムネイル６４はサイトの特性を知る上で有益な情報であり、サムネイル６４を提供しているサイトが有害サイトであるか否かの判断資料となるものである。
【００４１】
次に、閲覧禁止キーワードテーブル５０について、図６を参照する。図６は、閲覧禁止キーワードテーブルの一例を示す図である。図６において、図１と同一部分には同一符号を付してある。
【００４２】
閲覧禁止キーワードテーブル５０には、タイトル欄６８及び情報欄７０が設定され、タイトル欄６８には、禁止キーワード７２、カテゴリ７４、ＵＲＬ７６が格納される。禁止キーワード７２には閲覧禁止の判断要素となる言語等が格納され、カテゴリ７４にはその言語が用いられる分野等が格納される。
【００４３】
次に、ダイアログ画面及び警告メッセージについて、図７を参照する。図７は、ダイアログ画面を示す図である。図７において、図２又は図３と同一部分には同一符号を付してある。
【００４４】
閲覧制限が付されたＷＥＢサイトの閲覧要求に対し、表示部２８には図７に示すように、ダイアログ画面７８が表示される。このダイアログ画面７８は警告や問合せを表示するとともに、ダイアログ入力を受け付ける画面であって、警告メッセージ８０と閲覧の問合せ８２が表示される。
【００４５】
この場合、警告メッセージ８０は、
「このＷＥＢコンテンツは閲覧制限されており、この閲覧は記録され、管理者へ通知されます。」
と表示され、また、閲覧の問合せ８２は、
「閲覧しますか？」
と表示される。この問合せメッセージ８２の下側には、閲覧への移行を表すＹＥＳボタン８４、閲覧の移行を拒否するＮＯボタン８６が表示されている。
【００４６】
次に、閲覧履歴の通知画面について、図８を参照する。図８は、閲覧履歴の通知画面を示す図である。図８において、図２又は図３と同一部分には同一符号を付してある。
【００４７】
管理者がＰＣ２を立ち上げると、表示部２８には図８に示すように、通知画面８８が表示される。この通知画面８８には、通知メッセージ９０及び確認問合せ９２が表示され、この通知メッセージ９０及び確認問合せ９２は例えば、
「ＷＥＢサイトの閲覧履歴が追加されました。
確認しますか？」                                                          と表示される。この確認問合せ９２の下欄には、その問合せに応答するためのＹＥＳボタン９４及びＮＯボタン９６が表示される。ＹＥＳボタン９４をクリックすれば、閲覧履歴の確認画面９８（図９）に移行し、ＮＯボタン９６をクリックすれば、通知画面８８が解除される。
【００４８】
次に、閲覧履歴の確認画面について、図９を参照する。図９は、閲覧履歴の確認画面を示す図である。図９において、図２又は図３と同一部分には同一符号を付してある。
【００４９】
管理者による閲覧履歴を確認するため、表示部２８には図９に示すように、閲覧履歴の確認画面９８が表示される。この確認画面９８は、ローカルＤＢ１２の閲覧履歴を表示するとともに、閲覧禁止の選択が可能なダイアログ画面を構成する。
【００５０】
この場合、確認画面９８には、図９に示すように、閲覧履歴リスト１００が表示され、この閲覧履歴リスト１００には、タイトル欄１０２及び情報欄１０４が設定され、タイトル欄１０２には、閲覧禁止の選択１０６、ユーザ名１０８、日付１１０、時間１１２、タイトル１１４、サムネイル１１６、ＵＲＬ１１８が表示される。閲覧禁止の選択１０６には、ＵＲＬ１１８について、常時閲覧禁止を選択するためのチェックボックス１２０が表示され、このチェックボックス１２０にチェックを入れることにより、常時閲覧禁止のＵＲＬが選択される。
【００５１】
閲覧履歴リスト１００の下側には送信ボタン１２２が表示され、この送信ボタン１２２にカーソルを重ねてクリックすれば、チェックボックス１２０のチェックにより、常時閲覧禁止のＵＲＬがブラックＵＲＬテーブル４６に転送され、閲覧禁止が設定される。
【００５２】
次に、ＷＥＢサイトの閲覧と閲覧制限について、図１０、図１１、図１２、図１３及び図１４を参照する。図１０は、ＷＥＢサイトの閲覧及び閲覧制限の総括的な処理手順を示すフローチャート、図１１は、ＷＥＢサイトの閲覧及びフィルタリング処理の処理手順を示すフローチャート、図１２は、ＷＥＢサイトの閲覧及びフィルタリング処理の他の処理手順を示すフローチャート、図１３は、履歴情報の閲覧の処理手順を示すフローチャート、図１４は、閲覧制限の処理手順を示すフローチャートである。
【００５３】
ＷＥＢサイトの閲覧と閲覧制限の処理手順について、図１０に示すように、ユーザがＰＣ２に対し、ＷＥＢサイトの閲覧要求を発すると（ステップＳ１）、ＰＣ２では、閲覧要求に係るＷＥＢサイトに閲覧制限が付されているか否かを判断し、閲覧制限が付されていれば、ダイアログ画面とともに警告メッセージが表示され、ユーザに対し、閲覧するか否かを問い合わせる（ステップＳ２）。このダイアログ画面では、図７に示すように、警告メッセージ８０として、閲覧制限が付されたＷＥＢサイトの場合、閲覧制限が付されていること、その閲覧は記録されて管理者に通知、警告されることが告知され、ユーザはその警告メッセージ８０により、そのＷＥＢサイトの閲覧を再考する機会が与えられることになる。その結果、ユーザがそのＷＥＢサイトの閲覧を断念すれば、この処理は終了するが、閲覧に移行すれば、そのＷＥＢサイトを閲覧することができ、ユーザは必要なコンテンツを入手することができる（ステップＳ３）。即ち、ユーザは、この場合、管理者への閲覧の記録及び通知を条件に、欲している情報をタイムリに入手することができる。
【００５４】
このようなユーザの閲覧に対し、ユーザが閲覧に移行したことを契機として、ＰＣ２にはその閲覧履歴が記録され（ステップＳ４）、通知画面８８（図８）を通じて管理者に通知される（ステップＳ５）。管理者は、ＰＣ２を立ち上げ、通知画面８８から閲覧履歴の確認画面９８（図９）に移行させ、閲覧履歴の確認が可能となる（ステップＳ６）。管理者は、この閲覧履歴の確認画面９８の閲覧内容を確認することができる。そこで、ＰＣ２では、閲覧制限が設定されたか否かが判定され（ステップＳ７）、閲覧制限が設定されなければ（ステップＳ７のＮＯ）、そのＷＥＢサイトの閲覧が可能となるので、ステップＳ３に移行し、閲覧制限が設定されれば（ステップＳ７のＹＥＳ）、閲覧禁止となり（ステップＳ８）、ＰＣ２の管理者からユーザに対し、注意、指導が与えられることになる（ステップＳ９）。
【００５５】
次に、ＷＥＢサイトの閲覧及びフィルタリング処理について、図１１に示すように、ユーザは、ＷＥＢブラウザ８より閲覧したいＷＥＢサイトのＵＲＬを入力する（ステップＳ１１）。入力されたＵＲＬはネットワーク通信部１４を経由してインターネット４上のＷＥＢサーバ６に送られる（図１のａ、ステップＳ１２）。ＷＥＢサーバ６より該当サイトのページデータを受信する（ステップＳ１３）。このページデータはネットワーク通信部１４を経由して、フィルタリング判定処理部１８に送られる（図１のｂ、ステップＳ１４）。フィルタリング判定処理部１８は、受信したページデータに閲覧禁止キーワードが含まれているか否か、即ち、ローカルＤＢ１２の閲覧禁止キーワードテーブル５０にある禁止キーワード７２が含まれているか否かを判定し（ステップＳ１５）、閲覧禁止キーワードが含まれない場合には、ページデータをＷＥＢブラウザ８に送り、そのＷＥＢサイトは閲覧可となる（図１のｃ、ステップＳ１６）。
【００５６】
閲覧禁止キーワードが含まれる場合には、受信したページデータを付加情報（ＵＲＬ、日時等）とともに、ローカルＤＢ１２の閲覧履歴領域である閲覧履歴テーブル４８に格納し（図１のｄ）、ページデータを保持する（ステップＳ１７）。また、ダイアログ画面７８（図７）の警告メッセージ８０を表すデータを表示画面生成部１６を経由してＷＥＢブラウザ８に送る（図１のｈ、ステップＳ１８）。
【００５７】
ユーザがダイアログ画面７８から閲覧するか否かについてＹＥＳボタン８４又はＮＯボタン８６により選択する（図１のｅ）と、その入力が入力判定処理部２０で判定される（ステップＳ１９）。閲覧する場合には（ステップＳ１９のＹＥＳ）、フィルタリング判定処理部１８に表示指示が出て（図１のｆ）、閲覧履歴テーブル４８に保持されたページデータがＷＥＢブラウザ８に送られ、閲覧可となる（図１のｃ、ステップＳ２０）。なお、入力判定処理部２０が受け付けた入力に基づき、ＤＢ検索・編集部２２により、ローカルＤＢ１２にあるデータの検索や検索データの編集が行われ、編集結果はデータとしてローカルＤＢ１２に格納される（図１のｉ）。
【００５８】
また、閲覧しない場合には（ステップＳ１９のＮＯ）、表示画面生成部１６を経由して、非表示画面データがＷＥＢブラウザ８に送られ（図１のｇ、ステップＳ２１）、閲覧不可となる。この場合、非表示画面には、閲覧が拒否されたことを表す表示として、「閲覧しません。」と表示してもよい。
【００５９】
この処理手順において、ＷＥＢブラウザ８から送られるデータがＷＥＢサーバ６に送られるか否か、ユーザが選択する閲覧可否を表すデータは、インターネットアドレスかローカルアドレスかにより、ＷＥＢブラウザ８によって判別される。
【００６０】
ところで、ローカルＤＢ１２上のホワイトＵＲＬテーブル４４及びブラックＵＲＬテーブル４６が存在するので、ホワイトＵＲＬテーブル４４及び／又はブラックＵＲＬテーブル４６にあるＵＲＬと閲覧要求に係るＵＲＬとを比較し、これらが一致した場合には、閲覧禁止キーワードによる判定に代え、ページを表示（又は非表示）する構成としてもよい。例えば、図１２に示すように、ＷＥＢサイトのＵＲＬを入力すると（ステップＳ３１）、ＵＲＬがブラックＵＲＬテーブル４６のＵＲＬと一致するか否かを判定し（ステップＳ３２）、一致すれば（ステップＳ３２のＹＥＳ）、ＷＥＢサイトの閲覧不可（ステップＳ３３）、一致しなければ（ステップＳ３２のＮＯ）、ＷＥＢサイトの閲覧可（ステップＳ３４）とする処理手順を用いる。
【００６１】
履歴情報の閲覧について、図１３を参照する。図１３は、管理者の履歴情報の閲覧の処理手順の一例を示すフローチャートである。
【００６２】
管理者は、ＰＣ２の予め決められた管理者用のローカルアドレスをＷＥＢブラウザ８より入力する（ステップＳ４１）。ＷＥＢブラウザ８は、ＵＲＬアドレスを入力判定処理部２０に送るが、画面によってはアドレスと共に各種パラメータ情報を受信する（ステップＳ４２）。入力判定処理部２０が受信データを判定し、履歴情報の閲覧リクエストの認識処理を実行する（ステップＳ４３）。履歴情報の閲覧リクエストを認識した場合には（ステップＳ４３のＹＥＳ）、ローカルＤＢ１２の検索を実行し、その結果を編集し、表示画面生成部１６を経由して、履歴一覧の表示データとして通知画面８８（図８）のデータをＷＥＢブラウザ８に送る（ステップＳ４４）。
【００６３】
次に、履歴情報から閲覧制限（閲覧禁止）の設定について、図１４を参照する。図１４は、履歴情報から閲覧制限を設定する処理手順の一例を示すフローチャートである。
【００６４】
管理者は、確認画面９８（図９）の閲覧履歴リスト１００の履歴一覧より、常時閲覧禁止とする履歴を選択し、それに対応するチェックボックス１２０にチェックし、送信ボタン１２２をクリックする（ステップＳ５１）。このデータを受信した入力判定処理部２０は、チェックボックス１２０で選択された履歴情報のＵＲＬをローカルＤＢ１２より検索し、このＵＲＬをローカルＤＢ１２上のブラックＵＲＬテーブル４６に登録する（ステップＳ５２）。この結果、閲覧制限が付される。
【００６５】
以上説明した第１の実施の形態について、その特徴事項や利点等を以下に列挙するとともに、変形例等に言及する。
【００６６】
(1) ＷＥＢフィルタリング機能により有害であると判定され又は管理者が設定したＷＥＢコンテンツのＵＲＬにユーザがアクセスしようとした場合、無条件にアクセス不可とするのではなく、「このＷＥＢコンテンツは閲覧制限されており、この閲覧は記録され、管理者へ通知されます。」、「閲覧しますか？」等の警告メッセージ８０、閲覧の問合せ８２を表示することで、ユーザ自身が管理者に閲覧履歴を通知されることのリスクを判断することで、有害サイト閲覧の抑止効果が閲覧に対するフィルタリング効果として機能するものである。
【００６７】
(2) 警告メッセージの表示と履歴の保存を同時行うので、管理者の目前でサイト閲覧するのと同様に、有害サイトの閲覧抑止の効果が得られる。ユーザが「閲覧」を選択した場合は、ＷＥＢフィルタリング機能により閲覧履歴情報が保存されるが、これはＷＥＢブラウザ８の基本機能を利用でき、第１の実施の形態にあっては、特別な機構を追加することなく実現できる。
【００６８】
(3) 管理者がこの履歴情報を任意にチェックできるので、有害サイトの閲覧があった場合は、ユーザへの注意喚起、指導が可能であって、また、アクセス禁止登録機能を活用し、有害サイトを閲覧禁止扱いにでき、以後の閲覧を完全に禁止することも可能である。
【００６９】
(4) ユーザが閲覧したＷＥＢサイトの閲覧記録は自動保存され、保存情報は管理者が容易に確認することができ、ユーザがどのようなコンテンツを閲覧したかをいつでも確認することができる。
【００７０】
(5) 閲覧履歴中に有害サイトが含まれていた場合には、管理者がそのサイト情報を閲覧禁止リストに追加して閲覧制限をすればよく、その設定により、閲覧確認をすることなく、有害サイトや有害サイトに含まれるコンテンツを非表示にすることができる。
【００７１】
(6) 管理者への閲覧の記録及び／又は通知を条件に閲覧要求に応ずるので、ユーザがフィルタリングソフト上で閲覧不可と判定したＷＥＢコンテンツを至急閲覧したい場合には、管理者の介在なく、その場で該当ＷＥＢコンテンツを閲覧し、必要な情報を得ることが可能となる。
【００７２】
(7) 閲覧記録が自動保存され、その情報を管理者が確認可能であることが抑止力となり、利用者による自由な有害コンテンツ閲覧を防止できる。
【００７３】
(8) ユーザと管理者との間で、有害サイトの基準に対する意識合わせが可能となり、利用者側のインターネットリテラシの向上が期待できるし、特に、ユーザが未成年者である場合、保護者との対話によって有害性判断を行うことができる。
【００７４】
(9) 無条件に閲覧禁止を強いるだけでなく、ユーザの判断を以て有害サイトの閲覧に制限を加えたり、閲覧制限を解除する等の多様な操作が可能であるとともに、有害サイトの閲覧を心理的に抑止でき、ユーザの判断を介在させ、その独自性を尊重しつつ、有害なＷＥＢサイトやＷＥＢコンテンツから児童や青少年を防護することができる。
【００７５】
〔第２の実施の形態〕
【００７６】
本発明の第２の実施の形態について、図１５を参照する。図１５は、第２の実施の形態に係るＰＣネットワークシステムを示す図である。図１５において、図１と同一部分には同一符号を付してある。
【００７７】
第１の実施の形態では、ユーザ端末としてのＰＣ２をフィルタリング装置として構成し、そのＰＣ２をユーザと管理者が共用する場合について説明したが、第２の実施の形態では、サーバ装置としてプロキシサーバ３００側にフィルタリング機能を備えることにより、第１の実施の形態と同様のフィルタリング機能をプロキシサーバ３００で実現したものである。
【００７８】
そこで、このＰＣネットワークシステム２００では、複数のクライアントＰＣ１、ＰＣ２のようにＰＣ２１１、２１２とプロキシサーバ３００とをインターネット４でネットワーク化したものである。ＰＣ２１１にはＷＥＢブラウザ８０１、ネットワーク通信部１４１を備えるとともに、ＰＣ２１２にはＷＥＢブラウザ８０２、ネットワーク通信部１４２を備え、プロキシサーバ３００には、ＰＣ２（図１）と同様に、処理部１０、ローカルＤＢ１２及びネットワーク通信部１４を備えている。
【００７９】
このような構成によっても、閲覧制限が付されたＷＥＢサイトに対するユーザの閲覧要求に対し、管理者への閲覧の記録及び通知を条件に前記閲覧要求に応じ、有害サイトの無制限な閲覧等を防止できるとともに、インターネットリテラシの向上を図ることができる。
【００８０】
〔他の実施の形態〕
【００８１】
(1) 上記実施の形態のローカルＤＢ１２に例えば、図１６に示すように、閲覧禁止候補テーブル１２４を設定し、この閲覧禁止候補テーブル１２４にサイト情報の閲覧禁止候補リストを追加する構成とし、この登録に止め、次回アクセス時に閲覧不適切である旨の情報を利用者に表示し、又は、有害性を利用者と直接会話する機会とし、利用者自身の判断でブラックＵＲＬテーブル４６の閲覧禁止ＵＲＬリストへ登録する構成としてもよい。利用者自身の判断で禁止登録を行う構成ではインターネットリテラシの向上が図られる。
【００８２】
(2) 上記実施の形態では、閲覧履歴の追加通知をＰＣ２の画面表示によって行っているが、ＰＣ２の持つ通信機能を利用し、管理者側のＰＣや携帯電話機等の携帯端末装置に電子メールによって通知する構成としてもよい。
【００８３】
(3) 上記実施の形態では、閲覧履歴の確認画面から閲覧禁止の設定を共通のＰＣ又は他のＰＣを以て設定しているが、ＰＣや携帯電話機等の携帯端末装置のリモート操作機能を利用し、遠隔操作で閲覧履歴の確認とともに閲覧制限の設定を行う構成としてもよい。
【００８４】
(4) 上記実施の形態では、ＰＣ２を例示したが、図１７に示すように、携帯電話機等の携帯端末装置４００を用いる構成としてもよい。この場合、携帯端末装置４００は、無線通信機能を利用し、基地局４０２を介してＷＥＢサーバ６と接続される。斯かる構成としても、管理者への閲覧の記録及び／又は通知を条件に閲覧要求に応じ、有害サイトの無制限な閲覧等を防止できる。
【００８５】
(5) また、図１８に示すように、携帯情報端末機（ＰＤＡ：Personal Digital Assistant）５００を用いる構成としてもよい。この場合、ＰＤＡ５００は、無線通信機能を利用し、基地局４０２を介してＷＥＢサーバ６と接続される。斯かる構成としても、同様に、管理者への閲覧の記録及び／又は通知を条件に閲覧要求に応じ、有害サイトの無制限な閲覧等を防止できる。
【００８６】
(6) 上記実施の形態では、管理者への閲覧の記録及び通知を条件に閲覧要求に応じる構成としたが、閲覧の記録又は通知の何れか一方を条件とする構成としてもよい。
【００８７】
(7) 上記実施の形態では、ＷＥＢサイトを閲覧できる機器としてＰＣ２、携帯端末装置４００、ＰＤＡ５００を例示したが、本発明は、このような機器に限定されるものではなく、通信機能を持ち、ＷＥＢサイトからコンテンツを入手できる機器であれば、どのようなものでも適用することができ、上記機器に限定されるものではない。
【００８８】
次に、以上述べた本発明の実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００８９】
（付記１）  ＷＥＢサイトの閲覧を制限する、ＷＥＢサイト閲覧のフィルタリング装置であって、
閲覧制限が付されたＷＥＢサイトに対するユーザの閲覧要求に対し、管理者への閲覧の記録及び／又は通知を条件に前記閲覧要求に応ずる処理部を備えたことを特徴とするＷＥＢサイト閲覧のフィルタリング装置。
【００９０】
（付記２）  付記１のＷＥＢサイト閲覧のフィルタリング装置において、
前記処理部は、前記閲覧の記録及び／又は通知の条件に応諾した場合に、前記閲覧要求に応じることを特徴とするＷＥＢサイト閲覧のフィルタリング装置。
【００９１】
（付記３）  付記１のＷＥＢサイト閲覧のフィルタリング装置において、
前記処理部は、前記閲覧要求に対し、管理者への閲覧の記録及び／又は通知を条件にする旨の告知メッセージを生成することを特徴とするＷＥＢサイト閲覧のフィルタリング装置。
【００９２】
（付記４）  付記１のＷＥＢサイト閲覧のフィルタリング装置において、
前記処理部は、前記閲覧要求に対し、管理者への閲覧の記録及び／又は通知を条件にすることを告知するとともに、その告知に対する応答を受け付けた際に、前記閲覧要求に対する閲覧許可に移行させることを特徴とするＷＥＢサイト閲覧のフィルタリング装置。
【００９３】
（付記５）  付記１又は付記３のＷＥＢサイト閲覧のフィルタリング装置において、
前記処理部は、前記閲覧要求に対し、前記閲覧の記録及び／又は通知を条件にすることを告知し、その告知に対する応答を受け付けるダイアログ画面を出力することを特徴とするＷＥＢサイト閲覧のフィルタリング装置。
【００９４】
（付記６）  付記１のＷＥＢサイト閲覧のフィルタリング装置において、
前記閲覧の記録には、閲覧ユーザ名の他、閲覧日時、閲覧時間、ＷＥＢコンテンツのタイトル、トップページのスクリーンショット、ＵＲＬの１又は２以上を含むことを特徴とするＷＥＢサイト閲覧のフィルタリング装置。
【００９５】
（付記７）  付記１のＷＥＢサイト閲覧のフィルタリング装置において、
前記処理部は、前記閲覧の記録及び／又は通知を受け付ける管理サーバから前記ＷＥＢサイトに対する閲覧制限又は閲覧許可を受け付けることを特徴とするＷＥＢサイト閲覧のフィルタリング装置。
【００９６】
（付記８）  ＷＥＢサイトの閲覧を制限する、ＷＥＢサイト閲覧のフィルタリング方法であって、
閲覧制限が付されたＷＥＢサイトに対するユーザの閲覧要求に対し、管理者への閲覧の記録及び／又は通知を条件に前記閲覧要求に応ずるステップを含むことを特徴とするＷＥＢサイト閲覧のフィルタリング方法。
【００９７】
（付記９）  付記８のＷＥＢサイト閲覧のフィルタリング方法において、
前記閲覧の記録及び／又は通知の条件に応諾した場合に、前記閲覧要求に応じるステップを含むことを特徴とするＷＥＢサイト閲覧のフィルタリング方法。
【００９８】
（付記１０）  付記８のＷＥＢサイト閲覧のフィルタリング方法において、
前記閲覧要求に対し、管理者への閲覧の記録及び／又は通知を条件にする旨の告知メッセージを生成するステップを含むことを特徴とするＷＥＢサイト閲覧のフィルタリング方法。
【００９９】
（付記１１）  付記８のＷＥＢサイト閲覧のフィルタリング方法において、
前記閲覧要求に対し、管理者への閲覧の記録及び／又は通知を条件にすることを告知するとともに、その告知に対する応答を受け付けた際に、前記閲覧要求に対する閲覧許可に移行させるステップを含むことを特徴とするＷＥＢサイト閲覧のフィルタリング方法。
【０１００】
（付記１２）  付記８又は１０のＷＥＢサイト閲覧のフィルタリング方法において、
前記閲覧要求に対し、前記閲覧の記録及び／又は通知を条件にすることを告知し、その告知に対する応答を受け付けるダイアログ画面を生成するステップを含むことを特徴とするＷＥＢサイト閲覧のフィルタリング方法。
【０１０１】
（付記１３）  付記８のＷＥＢサイト閲覧のフィルタリング方法において、
前記閲覧の記録には、閲覧ユーザ名の他、閲覧日時、閲覧時間、ＷＥＢコンテンツのタイトル、トップページのスクリーンショット、ＵＲＬの１又は２以上を含むことを特徴とするＷＥＢサイト閲覧のフィルタリング方法。
【０１０２】
（付記１４）  付記８のＷＥＢサイト閲覧のフィルタリング方法において、
前記閲覧の記録及び／又は通知を受け付ける管理サーバから前記ＷＥＢサイトに対する閲覧制限又は閲覧許可を受け付けるステップを含むことを特徴とするＷＥＢサイト閲覧のフィルタリング方法。
【０１０３】
（付記１５）  コンピュータによって実行され、ＷＥＢサイトの閲覧を制限する、ＷＥＢサイト閲覧のフィルタリングプログラムであって、
閲覧制限が付されたＷＥＢサイトに対するユーザの閲覧要求に対し、管理者への閲覧の記録及び／又は通知を条件に前記閲覧要求に応ずるステップを含むことを特徴とするＷＥＢサイト閲覧のフィルタリングプログラム。
【０１０４】
（付記１６）  付記１５のＷＥＢサイト閲覧のフィルタリングプログラムにおいて、
前記閲覧の記録及び／又は通知の条件に応諾した場合に、前記閲覧要求に応じるステップを含むことを特徴とするＷＥＢサイト閲覧のフィルタリングプログラム。
【０１０５】
（付記１７）  付記１５のＷＥＢサイト閲覧のフィルタリングプログラムにおいて、
前記閲覧要求に対し、管理者への閲覧の記録及び／又は通知を条件にする旨の告知メッセージを生成するステップを含むことを特徴とするＷＥＢサイト閲覧のフィルタリングプログラム。
【０１０６】
（付記１８）  付記１５のＷＥＢサイト閲覧のフィルタリングプログラムにおいて、
前記閲覧要求に対し、管理者への閲覧の記録及び／又は通知を条件にすることを告知するとともに、その告知に対する応答を受け付けた際に、前記閲覧要求に対する閲覧許可に移行させるステップを含むことを特徴とするＷＥＢサイト閲覧のフィルタリングプログラム。
【０１０７】
（付記１９）  付記１５又は１７のＷＥＢサイト閲覧のフィルタリングプログラムにおいて、
前記閲覧要求に対し、前記閲覧の記録及び／又は通知を条件にすることを告知し、その告知に対する応答を受け付けるダイアログ画面を生成するステップを含むことを特徴とするＷＥＢサイト閲覧のフィルタリングプログラム。
【０１０８】
（付記２０）  付記１５のＷＥＢサイト閲覧のフィルタリングプログラムにおいて、
前記閲覧の記録には、閲覧ユーザ名の他、閲覧日時、閲覧時間、ＷＥＢコンテンツのタイトル、トップページのスクリーンショット、ＵＲＬの１又は２以上を含むことを特徴とするＷＥＢサイト閲覧のフィルタリングプログラム。
【０１０９】
（付記２１）  付記１５のＷＥＢサイト閲覧のフィルタリングプログラムにおいて、
前記閲覧の記録及び／又は通知を受け付ける管理サーバから前記ＷＥＢサイトに対する閲覧制限又は閲覧許可を受け付けるステップを含むことを特徴とするＷＥＢサイト閲覧のフィルタリングプログラム。
【０１１０】
（付記２２）  ＷＥＢサイトの閲覧を制限する、ＷＥＢサイト閲覧のフィルタリングプログラムをコンピュータで読取り可能に格納した記録媒体であって、
閲覧制限が付されたＷＥＢサイトに対するユーザの閲覧要求に対し、管理者への閲覧の記録及び／又は通知を条件に前記閲覧要求に応ずるステップを含むフィルタリングプログラムをコンピュータに読取り可能に格納したことを特徴とする記録媒体。
【０１１１】
（付記２３）  付記２２の記録媒体において、
前記閲覧の記録及び／又は通知の条件に応諾した場合に、前記閲覧要求に応じるステップを含むフィルタリングプログラムをコンピュータに読取り可能に格納したことを特徴とする記録媒体。
【０１１２】
（付記２４）  付記２２の記録媒体において、
前記閲覧要求に対し、管理者への閲覧の記録及び／又は通知を条件にする旨の告知メッセージを生成するステップを含むフィルタリングプログラムをコンピュータに読取り可能に格納したことを特徴とする記録媒体。
【０１１３】
（付記２５）  付記２２の記録媒体において、
前記閲覧要求に対し、管理者への閲覧の記録及び／又は通知を条件にすることを告知するとともに、その告知に対する応答を受け付けた際に、前記閲覧要求に対する閲覧許可に移行させるステップを含むフィルタリングプログラムをコンピュータに読取り可能に格納したことを特徴とする記録媒体。
【０１１４】
（付記２６）  付記２２又は２４の記録媒体において、
前記閲覧要求に対し、前記閲覧の記録及び／又は通知を条件にすることを告知し、その告知に対する応答を受け付けるダイアログ画面を生成するステップを含むフィルタリングプログラムをコンピュータに読取り可能に格納したことを特徴とする記録媒体。
【０１１５】
（付記２７）  付記２２の記録媒体において、
前記閲覧の記録には、閲覧ユーザ名の他、閲覧日時、閲覧時間、ＷＥＢコンテンツのタイトル、トップページのスクリーンショット、ＵＲＬの１又は２以上を含むフィルタリングプログラムをコンピュータに読取り可能に格納したことを特徴とする記録媒体。
【０１１６】
（付記２８）  付記２２の記録媒体において、
前記閲覧の記録及び／又は通知を受け付ける管理サーバから前記ＷＥＢサイトに対する閲覧制限又は閲覧許可を受け付けるステップを含むフィルタリングプログラムをコンピュータに読取り可能に格納したことを特徴とする記録媒体。
【０１１７】
（付記２９）  ＷＥＢサイトの閲覧を制限する、ＷＥＢサイト閲覧のフィルタリングシステムであって、
閲覧制限が付されたＷＥＢサイトに対するユーザの閲覧要求に対し、管理者への閲覧の記録及び／又は通知を条件に前記閲覧要求に応ずるサーバ装置と、
前記サーバ装置からの前記閲覧の記録及び／又は通知を受け取り、前記ＷＥＢサイトに対する閲覧制限又は閲覧許可を前記サーバ装置に指示するクライアント装置と、
を備えることを特徴とするＷＥＢサイト閲覧のフィルタリングシステム。
【０１１８】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１１９】
本発明は、閲覧が制限されたＷＥＢサイトを閲覧した場合、その閲覧をしたことの記録又はその通知、又は、これら双方によれば、管理者は、ユーザがどのようなＷＥＢサイトを閲覧したかを管理でき、その通知によって知ることができ、閲覧制限されたＷＥＢサイトに対する閲覧要求に対し、その閲覧の記録及び／又は通知が条件であることを告知するので、ユーザに対し、その告知が、管理者の意思を再認識させ、当該サイトを閲覧することの再考判断の機会となり、有害サイトの閲覧を防止できるとともに、ＷＥＢコンテンツの利用性を高めることができ、有用である。
【図面の簡単な説明】
【０１２０】
【図１】第１の実施の形態に係るＰＣの一例を示す図である。
【図２】ＰＣのハードウェアの一例を示す図である。
【図３】ＰＣの外観構成例を示す図である。
【図４】ローカルＤＢの構成例を示す図である。
【図５】閲覧履歴テーブルの一例を示す図である。
【図６】閲覧禁止キーワードテーブルの一例を示す図である。
【図７】ダイアログ画面を示す図である。
【図８】閲覧履歴の通知画面を示す図である。
【図９】閲覧履歴の確認画面を示す図である。
【図１０】ＷＥＢサイトの閲覧及び閲覧制限の総括的な処理手順を示すフローチャートである。
【図１１】ＷＥＢサイトの閲覧及びフィルタリング処理の処理手順を示すフローチャートである。
【図１２】ＷＥＢサイトの閲覧及びフィルタリング処理の他の処理手順を示すフローチャートである。
【図１３】履歴情報の閲覧の処理手順を示すフローチャートである。
【図１４】閲覧制限の処理手順を示すフローチャートである。
【図１５】第２の実施の形態に係るＰＣネットワークシステムの一例を示す図である。
【図１６】他の実施の形態に係るローカルＤＢの一例を示す図である。
【図１７】他の実施の形態に係る携帯端末装置の一例を示す図である。
【図１８】他の実施の形態に係るＰＤＡの一例を示す図である。
【符号の説明】
【０１２１】
２  パーソナルコンピュータ
６  ＷＥＢサーバ
８  ＷＥＢブラウザ
１０  処理部
４８  閲覧履歴テーブル
５０  閲覧禁止キーワードテーブル
【図１】
2008234332.tif 000003
【図２】
2008234332.tif 000004
【図３】
2008234332.tif 000005
【図４】
2008234332.tif 000006
【図５】
2008234332.tif 000007
【図６】
2008234332.tif 000008
【図７】
2008234332.tif 000009
【図８】
2008234332.tif 000010
【図９】
2008234332.tif 000011
【図１０】
2008234332.tif 000012
【図１１】
2008234332.tif 000013
【図１２】
2008234332.tif 000014
【図１３】
2008234332.tif 000015
【図１４】
2008234332.tif 000016
【図１５】
2008234332.tif 000017
【図１６】
2008234332.tif 000018
【図１７】
2008234332.tif 000019
【図１８】
2008234332.tif 000020